(57)【特許請求の範囲】
【請求項１】
ラジオ放送局の放送プログラムの受信および出力方法であって、
アンテナ（６）を介して前記放送プログラムを第１の受信部（１）により受信し、該第１の受信部より前記放送プログラムをマイクロプロセッサ（３）に供給し、該マイクロプロセッサ（３）より前記放送プログラムをスピーカ（８）を介して出力し、出力される前記放送プログラムに依存しないで、別の放送局のデジタル情報を第２の受信部（２）により受信し、該第２の受信部（２）より前記デジタル情報を前記マイクロプロセッサ（３）に供給し、該マイクロプロセッサ（３）により前記デジタル情報に包含されている有効データ、プログラムサービス名およびプログラム識別子を検出し、該有効データ、該プログラムサービス名および該プログラム識別子を第２のメモリ（５）にファイルする、ラジオ放送局の放送プログラムの受信および出力方法において、
新たに受信したデジタル情報に包含されている有効データが既に前記第２のメモリ（５）にファイルされている場合には、該第２のメモリ（５）にファイルされている有効データをプログラムサービス名と共に出力装置（８／９）を介して出力し、
新たに受信したデジタル情報に包含されている有効データが前記第２のメモリ（５）にファイルされていない場合には、該デジタル情報に包含されているプログラム識別子を、第１のメモリ（４）にファイルされている、プログラムサービス名とプログラム識別子との直接的な対応関係を有する表の中でスキャンし、前記プログラム識別子が前記表にファイルされている場合には、該プログラム識別子を介して該プログラム識別子に対応するプログラムサービス名を読み出し、前記有効データと共に該プログラムサービス名を出力装置（８／９）を介して出力し、前記プログラム識別子が前記表にまだファイルされていない場合には、該プログラム識別子と前記デジタル情報に包含されているプログラムサービス名を前記表にファイルし、続いて該プログラム識別子を介して該プログラム識別子に対応するプログラムサービス名を読み出し、前記有効データと共に該プログラムサービス名を出力装置（８／９）を介して出力することを特徴とする、ラジオ放送局の放送プログラムの受信および出力方法。
【請求項２】
デジタル情報としてＲＤＳデータを受信し、
前記マイクロプロセッサ（３）により、該ＲＤＳデータからＲＤＳ有効データ、およびプログラムサービス名を検出し、
該ＲＤＳ有効データと該プログラムサービス名とを出力する、請求項１記載の方法。
【請求項３】
前記プログラムサービス名を、前記ＲＤＳ有効データの出力と同時に出力する、請求項２記載の方法。
【請求項４】
前記プログラムサービス名を光学的に出力する、請求項２または３記載の方法。
【請求項５】
前記プログラムサービス名を音響的に出力する、請求項２記載の方法。
【請求項６】
前記マイクロプロセッサ（３）により、２つの内容的に同じＲＤＳ有効データを、時間的にずれて受信した場合には、最初に受信したＲＤＳデータのプログラム識別子およびプログラムサービス名を記憶し、
該最初に受信したＲＤＳデータのプログラムサービス名を前記ＲＤＳ有効データと共に出力する、請求項２から５までのいずれか１項記載の方法。
【請求項７】
前記マイクロプロセッサ（３）により、内容的に同じＲＤＳ有効データを時間的に順次して受信した場合には、最後に受信したＲＤＳデータのプログラム識別子およびプログラムサービス名を記憶し、
該最後に受信したＲＤＳデータのプログラムサービス名を前記ＲＤＳ有効データと共に出力する、請求項２から５までのいずれか１項記載の方法。
【請求項８】
マイクロプロセッサ（３）、第１の受信部（１）、第２の受信部（２）、第１のメモリ（４）および第２のメモリ（５）を有するラジオ受信機であって、
前記第１の受信部（１）によりアンテナ（６）を介してラジオ放送局の放送プログラムが受信され、該放送プログラムが前記第１の受信部（１）から前記マイクロプロセッサ（３）に供給され、該マイクロプロセッサ（３）によって前記放送プログラムがスピーカ（８）を介して出力され、前記第２の受信部（２）により別のラジオ放送局のデジタル情報が受信され、該デジタル情報が前記マイクロプロセッサ（３）に供給され、該マイクロプロセッサ（３）により、前記デジタル情報に包含されている有効データ、プログラムサービス名およびプログラム識別子が検出され、該有効データ、該プログラムサービス名および該プログラム識別子が前記第２のメモリ（５）にファイルされる、ラジオ受信機において、
新たに受信したデジタル情報に包含されている有効データが既に前記第２のメモリ（５）にファイルされている場合には、該第２のメモリ（５）にファイルされている有効データがプログラムサービス名と共に出力装置（８／９）を介して出力され、
新たに受信したデジタル情報に包含されている有効データが前記第２のメモリ（５）にファイルされていない場合には、該デジタル情報に包含されているプログラム識別子が、前記第１のメモリ（４）にファイルされている、プログラムサービス名とプログラム識別子との直接的な対応関係を有する表の中でスキャンされ、前記プログラム識別子が前記表にファイルされている場合には、該プログラム識別子を介して該プログラム識別子に対応するプログラムサービス名が読み出され、前記有効データと共に該プログラムサービス名が出力装置（８／９）を介して出力され、前記プログラム識別子が前記表にまだファイルされていない場合には、該プログラム識別子と前記デジタル情報に包含されているプログラムサービス名が前記表にファイルされ、続いて該プログラム識別子を介して該プログラム識別子に対応するプログラムサービス名が読み出され、前記有効データと共に該プログラムサービス名が出力装置（８／９）を介して出力されることを特徴とする、ラジオ受信機。
【請求項９】
前記別の受信部（２）によりデジタル情報としてＲＤＳデータが受信され、
前記マイクロプロセッサ（３）により、該ＲＤＳデータから、ＲＤＳ有効データおよびプログラムサービス名が検出され、
該ＲＤＳ有効データおよび該プログラムサービス名が前記出力装置（８、９）を介して出力される、請求項８記載のラジオ受信機。
【発明の詳細な説明】
【０００１】
【発明の属する技術分野】
本発明は、ラジオ放送局の放送プログラムの受信および出力方法であって、アンテナを介して放送プログラムを第１の受信部により受信し、第１の受信部より放送プログラムをマイクロプロセッサに供給し、マイクロプロセッサより放送プログラムをスピーカを介して出力し、出力される放送プログラムに依存しないで、別の放送局のデジタル情報を第２の受信部により受信し、第２の受信部よりデジタル情報をマイクロプロセッサに供給し、マイクロプロセッサによりデジタル情報に包含されている有効データ、プログラムサービス名およびプログラム識別子を検出し、有効データ、プログラムサービス名およびプログラム識別子を第２のメモリにファイルする、ラジオ放送局の放送プログラムの受信および出力方法に関する。さらに本発明は、マイクロプロセッサ、第１の受信部、第２の受信部、第１のメモリおよび第２のメモリを有するラジオ受信機であって、第１の受信部によりアンテナを介してラジオ放送局の放送プログラムが受信され、放送プログラムが第１の受信部からマイクロプロセッサに供給され、マイクロプロセッサによって放送プログラムがスピーカを介して出力され、第２の受信部により別のラジオ放送局のデジタル情報が受信され、デジタル情報がマイクロプロセッサに供給され、マイクロプロセッサにより、デジタル情報に包含されている有効データ、プログラムサービス名およびプログラム識別子が検出され、有効データ、プログラムサービス名およびプログラム識別子が第２のメモリにファイルされる、ラジオ受信機に関する。
【０００２】
【従来の技術】
ラジオデータシステム（ＲＤＳ）によるラジオ放送方式からすでに、放送プログラムにＲＤＳデータの形式のデジタル情報を付加することが公知である。放送プログラムとデジタル情報とは、ラジオ放送局の放送プログラムをアンテナを介してするための第１の受信部とマクロプロセッサとを有し、このマイクロプロセッサに第１の受信部から放送プログラムが供給され、またマイクロプロセッサが無線放送プログラムをスピーカを介して出力するラジオ受信機により受信され、出力される。このことは例えば、Franz Stollenberg著、"RDS-ein neuer Dienst im UKW-Rundfunk",NTZ,Band 40,1987,Heft 346頁以降に記載されている。
【０００３】
ラジオデータシステムとは、付加的かつ聴取不可能なデジタルデータが放送プログラムと供に伝送されるシステムである。
【０００４】
適切なＲＤＳデコーダを具備したラジオ受信機は、伝送されたＲＤＳデータをラジオ受信に加えて同じ受信部で受信し、ＲＤＳデータをデコードし、これを再び出力する。ＲＤＳデータチャネルを介して、情報、例えば交通情報がコード語によって伝送される。このとき事象の発生地および事象自体が伝送される。交通情報の代わりに他のいずれのＲＤＳ有効データ、例えば催事指示を伝送することもできる。受信されたＲＤＳデータはＲＤＳ有効データの他にとくに、ＲＤＳデータの放送局を表すプログラム識別子（ＰＩ）と、ＲＤＳデータの放送局に対する名称を表すプログラムサービス名（ＰＳ）とを有する。
【０００５】
さらにデジタル放送（ＤＡＢ）を使用して放送プログラム、および例えば交通情報のようなデジタル情報をデジタル伝送し、放送プログラムおよびデジタル情報を出力することが公知である。
【０００６】
【発明が解決しようとする課題】
本発明の課題は、任意の放送局のデジタル情報を、放送プログラムを聞いている同調されたラジオ放送局に依存しないで出力する方法およびラジオ受信機を提供することである。
【０００７】
【課題を解決するための手段】
方法に関する課題は、新たに受信したデジタル情報に包含されている有効データが既に第２のメモリにファイルされている場合には、第２のメモリにファイルされている有効データをプログラムサービス名と共に出力装置を介して出力し、新たに受信したデジタル情報に包含されている有効データが第２のメモリにファイルされていない場合には、デジタル情報に包含されているプログラム識別子を、第１のメモリにファイルされている、プログラムサービス名とプログラム識別子との直接的な対応関係を有する表の中でスキャンし、プログラム識別子が表にファイルされている場合には、プログラム識別子を介してプログラム識別子に対応するプログラムサービス名を読み出し、有効データと共にプログラムサービス名を出力装置を介して出力し、プログラム識別子が表にまだファイルされていない場合には、プログラム識別子とデジタル情報に包含されているプログラムサービス名を表にファイルし、続いてプログラム識別子を介してプログラム識別子に対応するプログラムサービス名を読み出し、有効データと共にプログラムサービス名を出力装置を介して出力することにより解決される。
ラジオ受信機に関する課題は、新たに受信したデジタル情報に包含されている有効データが既に第２のメモリにファイルされている場合には、第２のメモリにファイルされている有効データがプログラムサービス名と共に出力装置を介して出力され、新たに受信したデジタル情報に包含されている有効データが第２のメモリにファイルされていない場合には、デジタル情報に包含されているプログラム識別子が、第１のメモリにファイルされている、プログラムサービス名とプログラム識別子との直接的な対応関係を有する表の中でスキャンされ、プログラム識別子が表にファイルされている場合には、プログラム識別子を介してプログラム識別子に対応するプログラムサービス名が読み出され、有効データと共にプログラムサービス名が出力装置を介して出力され、プログラム識別子が表にまだファイルされていない場合には、プログラム識別子とデジタル情報に包含されているプログラムサービス名が表にファイルされ、続いてプログラム識別子を介してプログラム識別子に対応するプログラムサービス名が読み出され、有効データと共にプログラムサービス名が出力装置を介して出力されることにより解決される。
【０００８】
【発明の実施例の形態】
本発明により、放送プログラムに対して放送局が選択されている場合でも、選択されている放送局に依存しないで、他の放送局のデジタル情報を出力することができる。したがって、聴取者が放送プログラムの情報に制限されることがない。これはとくに、マルチチューナコンセプトの場合に有利である。マルチチューナコンセプトでは、第１のチューナが放送プログラムを受信し、第２のチューナがデジタル情報を受信する。
【０００９】
ここでは例えば、デジタル放送（ＤＡＢ），またはラジオデータ信号（ＲＤＳ）を伴う放送プログラムを利用することができる。
【００１０】
従属請求項に記載された手段によって、請求項１に記載された方法および請求項１２に記載されたラジオ受信機の有利な改善が可能である。本発明の方法の有利な実施例では、デジタル情報としてラジオデータ信号のＲＤＳデジタル情報が使用され、ＲＤＳ有効データに加えてＲＤＳデータの放送局に対する識別子が出力される。このことによって、聴取者は、出力されているＲＤＳ有効データがどの放送局から送信されているのかという情報を得ることが保証される。これによって、出力されたＲＤＳ有効データを一義的に放送局に割り当てることができる。
【００１１】
本発明の方法の別の有利な構成では、ＲＤＳデータと共にＲＤＳデータの放送局のプログラム識別子が記憶される。このようにして簡単かつ確実に、受信されたＲＤＳデータをＲＤＳデータの放送局に割り当てることができる。
【００１２】
本発明の方法の別の有利な構成では、表を使用し、この表はプログラム識別子と、ＲＤＳデータの放送局の識別子、例えばプログラムサービス名との直接の対応関係を有する。これによって、放送局の識別子を簡単にプログラム識別子を介して読み出すことができる。これによって、放送局の識別子をいつでもＲＤＳデータの受信後にＲＤＳデータ自体から求める必要がない。
【００１３】
とくに有利には、プログラムサービス名をＲＤＳ有効データ、例えば交通情報と時間的に平行して出力する。
【００１４】
放送プログラムのプログラムサービス名とＲＤＳデータのプログラムサービス名とは次のようにして簡単に区別することができる。すなわち、ＲＤＳデータの放送局のプログラムサービス名を音響出力するか、またはディスプレイに目立つ形態で、例えば大文字でおよび／または点滅させておよび／または反転表示でおよび／または目立つ色で表示するのである。
【００１５】
【実施例】
本発明の実施例を図面に基づいて、以下詳細に説明する。
【００１６】
図１は、２つのチューナを有するラジオ受信機を概略的に示す。アンテナ６は第１のアンテナ線路１１を介して第１のチューナ１の入力側と接続されている。第１のチューナは第１の受信部である。さらに第１のチューナ１は第２のアンテナ線路１２を介して第２のチューナ２の入力側と接続されている。第２のチューナは第２の受信部である。第２のチューナ２は第２の出力線路１３を介してマイクロプロセッサ３と接続されている。同じように第１のチューナ１は第１の出力線路１４を介してマイクロプロセッサ３と接続されている。
【００１７】
マイクロプロセッサ３は第１のデータ線路１５を介して入力ユニット１０と接続されている。さらに、マイクロプロセッサ３は第２のデータ線路１６を介して光学的出力ユニット９、第３のデータ線路１７を介して第１のメモリ４、第４のデータ線路１８を介して第２のメモリ５、および第５のデータ線路１９を介して音声シンセサイザー７と接続されている。音声シンセサイザー７は第６のデータ線路２０を介してスピーカ８と接続されている。マイクロプロセッサ３はオーディオ線路２１を介してスピーカ８と接続されている。
【００１８】
図１の装置は次のように動作する。アンテナ６を介して受信信号が第１のチューナ１により受信される。第１のチューナ１は１つの放送局に同調されており、この放送局の放送プログラムをマイクロプロセッサ３にさらに導通する。マイクロプロセッサ３は受信された放送プログラムをオーディオ信号としてオーディオ線路２１とスピーカ８を介して出力する。同時に第１のチューナ１を介して第２のチューナ２に受信信号を提供する。第２のチューナ２は第２の放送局に同調されており、ＲＤＳデータを受信し、これをマイクロプロセッサ３にさらに導通する。マイクロプロセッサ３は供給されたＲＤＳデータからＲＤＳ有効データ、例えば交通情報、プログラム識別子およびプログラムサービス名を検出する。マイクロプロセッサ３はＲＤＳ有効データ、およびＲＤＳデータのプログラム識別子を第２のメモリ５に記憶する。
【００１９】
付加的にマイクロプロセッサ３は、プログラム識別子とＲＤＳデータのプログラムサービス名を表の形で第１のメモリ４に記憶する。これは、プログラム識別子とプログラムサービス名がまだ第１のメモリ４にファイルされていない場合である。表によって、プログラム識別子とプログラムサービス名との直接的対応関係が得られる。
【００２０】
ＲＤＳデータの代わり、有利には第２のチューナもデジタル放送プログラムのデジタル付加情報を受信し、付加情報から有効データ、例えば交通情報および付加情報の放送局に対する識別子を前記の方法に従って検出する。有効データと識別子とは出力された放送プログラムには依存せずに、前記の方法に相応して出力される。
【００２１】
プログラム識別子とプログラムサービス名とを、それぞれＲＤＳデータの放送局の変更の際に記憶すると有利である。なぜなら放送局の変更の際には、新たな放送局がプログラム識別子と放送局の識別子との変化した対応関係を使用するという可能性があるからである。
【００２２】
放送プログラムの出力（オーディオ信号）は，第２のチューナ２によるＲＤＳデータの受信には依存しないで行われるから、第２のチューナ２は別の受信周波数でＲＤＳデータをスキャンすることができ、これによりマイクロプロセッサ３は別のプログラムサービス提供者のＲＤＳデータを第２のメモリ５にファイルすることができる。
【００２３】
入力ユニット１０によって入力された動作モードに応じて、マイクロプロセッサ３により瞬時の受信されたＲＤＳデータが光学的に出力ユニット９を介して、または音響的に音声シンセサイザー７とスピーカ８を介して出力される。
【００２４】
有利にはマイクロプロセッサ３はＲＤＳデータに平行してプログラムサービス名を音響的または光学的に出力する。ＲＤＳデータの提供者のプログラムサービス名をオーディオデータの提供者のプログラムサービス名に対して際立たせるために、ＲＤＳデータの提供者のプログラムサービス名の表示は有利には、大文字および／または点滅させておよび／または反転表示でおよび／または光学的出力ユニット９の他の表示とは異なる目立つ色で行う。
【００２５】
第１のメモリ４には表がファイルされており、この表によってプログラム識別子とプログラムサービス名との直接の対応関係が可能である。これによってマイクロプロセッサ３は受信されたＲＤＳデータに対して、ＲＤＳデータの提供者のプログラムサービス名をプログラム識別子を介して検出することができる。このことには、プログラムサービス名を一度だけＲＤＳデータから検出すればよい、という利点がある。プログラムサービス名の検出は比較的面倒である。
【００２６】
ＲＤＳデータの出力は，入力ユニット１０を介して行われた入力の後、本発明の方法に従って行われる。
【００２７】
このために入力ユニット１０のキーが操作され、ＲＤＳ有効データの出力が惹起される。したがって、本発明の方法はとくに、収集され必要に応じて出力される交通情報（「交通メッセージチャネル」）の出力に適する。
【００２８】
図２は、本発明の方法を実施するためのプログラム経過を示す。
【００２９】
プログラムポイント３０で、第１のチューナ１は所定の受信周波数で放送プログラム（オーディオ信号）を受信する。この放送プログラムはマイクロプロセッサ３とスピーカ８を介して出力される。同時に第２のチューナ２は放送局のＲＤＳデータを受信する。この放送局ないしＲＤＳデータのプログラム提供者は第１のチューナ１が受信する放送局と同じでもよい（同じでなければならないことはない）。
【００３０】
プログラムポイント３１で、ＲＤＳデータはマイクロプロセッサ３にさらに導通される。マイクロプロセッサ３はＲＤＳ有効データとＲＤＳデータのプログラム識別子を第２のメモリ５にファイルする。ここでマイクロプロセッサ３はプログラムポイント３２で、受信されたＲＤＳ有効データがすでに第２のメモリ５にファイルされているＲＤＳ有効データと一致するか否かを検査する。受信されたＲＤＳ有効データが新しい物であれば、マイクロプロセッサ３はプログラムポイント３３で、第１のメモリ４にファイルされている表の中で、新たに受信されたＲＤＳデータのプログラム識別子をスキャンする。
【００３１】
新たに受信されたＲＤＳデータのプログラム識別子が第１のメモリ４にまだファイルされていない場合、プログラム識別子とプログラムサービス名とが初めてマイクロプロセッサ３により第１のメモリ、４すなわち表にファイルされる。このためにはマイクロプロセッサ３はプログラムサービス名をＲＤＳデータから検出しなければならない。プログラムサービス名は続いて表から読み出され、ＲＤＳ有効データと共にプログラムポイント３３で出力される。次にプログラムポイント３０にリターン分岐する。
【００３２】
プログラムポイント３２での問い合わせでＲＤＳ有効データが新しくないことが判明すると、すなわちＲＤＳ有効データ、プログラム識別子およびプログラムサービス名がすでに記憶されていれば、プログラムポイント３４で手動操作が入力ユニット１０を介して行われたか否かが問い合わされる、手動操作が行われている場合、プログラムポイント３５で記憶されているＲＤＳ有効データがそれぞれのプログラムサービス名と共に出力される。続いてプログラムポイント３０へリターン分岐する。プログラムポイント３４での問い合わせで、入力が行われていないことが判明すると、プログラムポイント３０へリターン分岐する。
【００３３】
交通情報の出力がスピーカを介して行われる場合、プログラムサービス名の出力は有利には、交通情報の出力の前かまたは交通情報の出力のあとにやはりスピーカ８を介して行われる。
【００３４】
しかし選択的に、プログラムサービス名を交通情報の音響出力に対して並列に光学的出力ユニット９を介して光学的に出力することもできる。交通情報が光学的出力ユニットを介して出力されるなら、プログラムサービス名は交通情報の出力の前、または後に同じように光学的出力ユニット９を介して出力される。出力装置として光学的出力ユニット９またはスピーカ８が使用される。
【００３５】
プログラムサービス名は光学的出力の際に目立つように表示される。これにより、サービス名を光学的出力ユニット９の他の表示から区別することができる。このことは例えば、大文字または点滅表示でおよび／または反転表示でおよび／または光学的出力ユニット９の他の表示の色とは異なる目立つ色で行う。
【００３６】
内容的に同じ交通情報が異なる放送局から受信された場合、本発明の方法の別の有利な構成では、最初に交通情報を受信した方の放送局のプログラム識別子が記憶される。
【００３７】
本発明の付加的に有利な構成では、交通情報を最後に受信した方の放送局のプログラム識別子が記憶される。
【００３８】
本発明の方法および本発明のラジオ受信機を，ラジオデータ信号を備えた放送プログラムに対する例として説明した。しかし本発明の方法およびラジオ受信機はラジオデータ信号を備えた放送プログラムに制限されるものではなく、他の放送伝送システム、例えばデジタル放送に適用することもできる。
【００３９】
デジタル放送の場合は、放送プログラムも、デジタル情報を表す付加情報もデジタルで伝送される。本発明の方法および本発明の装置によって、放送プログラムと例えば交通情報を表すデジタル情報とを異なる放送局から送信されていても受信し、デジタル情報を出力される放送プログラムに依存しないで出力することができる。この場合付加的に、デジタル情報の放送局に対する識別子も出力される。
【図面の簡単な説明】
【図１】  ラジオ受信機のブロック回路図である。
【図２】  本発明の方法を実施するためのフローチャートである。
【符号の説明】
１、２  チューナ
３  マイクロプロセッサ
４、５  メモリ
６  アンテナ
７  音声シンセサイザー
８  スピーカ
９  光学的出力ユニット
１０  入力ユニット
【図１】
0003896172.tif 000002
【図２】
0003896172.tif 000003